(57)【要約】      （修正有）【課題】検出精度の高いプルダウン検出装置を提供する。【解決手段】プルダウン検出装置１に、インターレース映像信号が入力されると、フィールド遅延部２によって一定のフィールド期間遅延され、フィールド遅延部２によって遅延されたフィールドと現在のフィールドとの差分量を差分算出部３で算出し、算出結果を差分判定部４に出力する。差分判定部４では、所定の閾値と差分量の比較を行い、重複フィールドであるか異なるフィールドであるかの判定を行ない、判定結果をプルダウン判定部５に出力し、プルダウン方式の決定がなされる。また、重複フィールドもしくは異なるフィールドが所定回数連続している場合には、閾値調整部６に判定結果の出力を行い、適切に閾値の調整を行なうように制御を行なう。【選択図】図１
2011176664.tif 000002
【特許請求の範囲】
【請求項１】
入力映像信号を所定のフレーム又はフィールド期間だけ遅延させる遅延手段と、
前記遅延手段により遅延させたフレーム又はフィールドと現在のフレーム又はフィールドとの差分量を算出する差分算出手段と、
前記差分算出手段により算出した差分量の大きさと特定の閾値とを比較し、前記現在のフレーム又はフィールドと所定の期間だけ前のフレーム又はフィールドが重複フレーム又は重複フィールドであるか否かを判定する差分判定手段と、
前記差分判定手段による所定期間の判定結果により、前記入力映像信号がプルダウン信号であるか否かを判定するプルダウン判定手段と、
前記差分判定手段による判定結果により前記閾値を調整する閾値調整手段とを備えることを特徴とするプルダウン検出装置。
【請求項２】
前記閾値調整手段は、前記差分判定手段において重複フレーム又は重複フィールドあるいは異なるフレーム又は異なるフィールドであるという判定結果が所定の回数連続した場合に、前記閾値を調整することを特徴とする請求項１に記載のプルダウン検出装置。
【請求項３】
前記閾値調整手段は、重複フレーム又は重複フィールドが出現する確率あるいは異なるフレーム又は異なるフィールドが出現する確率に基づいて前記閾値の調整を行なうことを特徴とする請求項１もしくは請求項２に記載のプルダウン検出装置。
【請求項４】
前記閾値調整手段は、重複フレーム又は重複フィールドが出現する頻度あるいは異なるフレーム又は異なるフィールドが出現する頻度に基づいて前記閾値の調整を行なうことを特徴とする請求項１乃至請求項３に記載のプルダウン検出装置。
【請求項５】
前記閾値調整手段は、前記閾値の調整範囲があらかじめ定められており、前記閾値を前記調整範囲内で調整することを特徴とする請求項１乃至請求項４に記載のプルダウン検出装置。
【請求項６】
前記閾値調整手段は、前記プルダウン判定手段においてプルダウン信号であると判定されている間は閾値を調整しないことを特徴とする請求項１乃至請求項５に記載のプルダウン検出装置。
【発明の詳細な説明】
【技術分野】
【０００１】
本発明は、映画フィルムから２−３プルダウン方式や２−２プルダウン方式などにより生成された映像信号がプルダウン信号であるか否かを検出するプルダウン検出装置に関する。
【背景技術】
【０００２】
映像信号の中には、映画フィルムに基づいて生成された映像信号が含まれていることが
ある。映画フィルムは毎秒２４コマであるのに対して、標準テレビジョン方式の映像信号
は毎秒３０フレーム（毎秒６０フィールド）の飛越し走査方式の映像信号である。
【０００３】
そのため、映画フィルムに基づいて生成された映像信号は、２−３プルダウン方式や２−２プルダウン方式などによって、標準テレビジョン方式の映像信号に変換されている。図６では、２−３プルダウン方式によって、７コマの映画フィルムから１７フィールドのインターレース映像信号が生成される例を示す。奇数番目のコマからは２フィールド、偶数番目のコマからは３フィールドのインターレース映像信号が生成されており、７コマ目以降は図示しないが、２４コマの映画フィルムから６０フィールドのインターレース映像信号が生成される。偶数番目のコマから生成される３フィールドの内、２フィールドは、同じインターレース映像信号からなる重複フィールドである。このようにして映画フィルムから、２−３プルダウン方式あるいは２−２プルダウン方式によって標準のテレビジョン映像信号、いわゆるプルダウン信号が作成されている。
【０００４】
そして、プルダウン方式で作成された映像信号を受像する受信機では、映像を高画質で表示するため、プルダウン信号が上記した２−２あるいは２−３プルダウン方式等で生成されたかを検出する必要がある。即ち、フィールド間の差分を複数回算出し、これらの差分量と所定の閾値とから構成される一定のパターンを分析し、いずれのプルダウン方式かを決定するプルダウン検出を行なう必要がある。
【０００５】
ここで、プルダウン検出での一般的なプルダウン方式の決定方法について図６を用いて説明する。図６において、ａ乃至ｏは、フィールド間の差分量（絶対値）を算出するためのペアをそれぞれ示している。例えば、ａは１コマ目の１フィールドから２コマ目の１フィールドの差をとって差分量を算出する。このようにして算出された差分量は、図６の下段に示すような一定のパターンを形成する。Ａ乃至Ｏは、それぞれ差分量を示し、Ａは、ａによって算出された差分量で、Ｂはｂによって算出された差分量であり、それぞれ異なるフィールド間の差分量である。また、Ｃは、ｃによって算出された差分量であり、重複フィールドの差分量であるため、差分量はほぼゼロである。
【０００６】
つまり、２−３プルダウン方式で生成されたプルダウン信号には、５フィールドに１回の割合で重複フィールドが存在するため、差分量が定期的にゼロとなる。プルダウン検出では、図６の破線部で示すような一定のパターンを検出することで、例えば、入力映像信号が２−３プルダウン方式で生成された信号であるという検出を行なう。
【０００７】
特許文献１では、入力映像信号に対してフレーム間差分積算値を算出し、現フィールドのフレーム間差分積算値が静止フィールド判定用第１閾値以下であり、現フィールドに先行する４つのフィールドのフレーム間差分積算値各々が静止フィールド判定用第１閾値よりも大きい動きフィールド判定用第１閾値以上であり、かつ現フィールドのフレーム間差分積算値が先行する４つのフィールドのフレーム間差分積算値各々に第１所定の係数を乗算して得た補正フレーム間差分積算値各々よりも小さいことを検出したとき入力映像信号が、プルダウン方式で生成された信号であると判定する手段が開示されている。
【０００８】
即ち、特許文献１記載の技術は、静止フィールド判定用閾値と動きフィールド判定用閾値の２種類の閾値（閾値はそれぞれ固定値）を用い、フィールド間の差分積算値を算出して、それぞれの閾値と算出した差分積算値との大小関係に基づいて形成される一定のパターンからプルダウン方式の検出を行なっている。上記技術は、図７に示すように、差分量がそれぞれの閾値に基づいて確実に区別できるのであれば検出できる。
【先行技術文献】
【特許文献】
【０００９】
【特許文献１】特開２００３−７８９２６号公報
【発明の概要】
【発明が解決しようとする課題】
【００１０】
しかしながら、特許文献１記載の技術は、あらかじめ定めた固定の閾値に基づいてプルダウン検出を行なっており、例えばあまり動きのない映像であると、差分量を算出しても、動きフィールド判定用閾値を下回り、図８に示すように誤判定を含む可能性がある。
【００１１】
また、図９に示すように、重複フィールドであってもノイズ等の影響により差分量がゼロとならない場合にも、静止フィールド判定用閾値を上回るために誤判定を含むこととなり、いずれもプルダウン信号であると判定できない。
【００１２】
そこで、本発明は、上記課題に鑑みてなされたものであり、その目的は、異なるフィールドであるか重複フィールドであるかの判定を行なうための閾値を可変にすることにより、あまり動きのない映像やノイズが入っている映像のような場合であっても、正確にプルダウン検出を行うことにある。
【課題を解決するための手段】
【００１３】
本発明に係るプルダウン検出装置は、入力映像信号を所定のフレーム又はフィールド期間だけ遅延させる遅延手段と、前記遅延手段により遅延させたフレーム又はフィールドと現在のフレーム又はフィールドとの差分量を算出する差分算出手段と、前記差分算出手段により算出した差分量の大きさと特定の閾値とを比較し、前記現在のフレーム又はフィールドと所定の期間だけ前のフレーム又はフィールドが重複フレーム又は重複フィールドであるか否かを判定する差分判定手段と、前記差分判定手段による所定期間の判定結果により、前記入力映像信号がプルダウン信号であるか否かを判定するプルダウン判定手段と、
前記差分判定手段による判定結果により前記閾値を調整する閾値調整手段を設けたことを特徴とする。
【発明の効果】
【００１４】
本発明に係るプルダウン検出装置では、差分量に応じて閾値を動的に調整することにより、検出精度の高いプルダウン検出装置を提供することが出来る。
【図面の簡単な説明】
【００１５】
【図１】本発明の第１の実施例に関するブロック構成図。
【図２】本発明の第１の実施例に関する説明図。
【図３】本発明の第１の実施例に関する説明図。
【図４】本発明の第２の実施例に関するブロック構成図。
【図５】本発明の第１の実施例に関する説明図。
【図６】プルダウン信号の生成及び検出に関する説明図。
【図７】従来技術に関する説明図。
【図８】従来技術に関する説明図。
【図９】従来技術に関する説明図。
【発明を実施するための形態】
【００１６】
本発明の実施例について以下に説明する。尚、本発明は以下の実施例に限定されるものではない。
【実施例１】
【００１７】
本発明の第１の実施例について、以下で図１、図２、図３及び図６を用いて説明する。図１は本発明の第１の実施例におけるプルダウン検出装置１の基本構成を示すブロック構成図である。プルダウン検出装置１は、フィールド遅延部２と差分算出部３と差分判定部４とプルダウン判定部５と閾値調整部６で構成される。
【００１８】
フィールド遅延部２は、インターレース入力映像信号を２フィールド期間だけ遅延させ、差分算出部３に入力する。差分算出部３は、上述したように、インターレース入力映像信号の現在のフィールドと、フィールド遅延部２より出力された現在より２フィールド前のフィールドとの差分量を算出する。差分量の算出方法に関しては、これに限られるものではないが、フィールド間の差分絶対値を画素単位あるいは一定領域単位で算出し、１フィールド期間分積算するなどして算出する。
【００１９】
差分判定部４は、差分算出部３で算出した差分量の大きさと閾値とを比較することにより、現在のフィールドと２フィールド前のフィールドが重複フィールドであるか異なるフィールドであるかの判定を行い、例えば、図６の破線部分で示すような所定期間の一連の判定結果をプルダウン判定部５に出力する。
【００２０】
プルダウン判定部５は、入力される一連の判定結果と、図示しないメモリにあらかじめ内蔵しておいた所定のパターンとを比較することにより、入力されたインターレース映像信号が、所定の方式で生成されたプルダウン信号であるか否かの判定を行なう。例えば、２−３プルダウン方式によって生成されたプルダウン信号を検出する場合、プルダウン判定部５において、入力される一連の判定結果と「異なるフィールド」→「異なるフィールド」→「重複フィールド」→「異なるフィールド」→「異なるフィールド」という所定の差分量のパターンとを比較することにより行なう。また、２−３プルダウン方式で生成されたプルダウン信号を１フィールド前との差異により検出する場合、プルダウン判定部５において比較すべきパターンは、「重複フィールド」→「異なるフィールド」→「重複フィールド」→「重複フィールド」→「異なるフィールド」である。
【００２１】
閾値調整部６は、差分判定部４から入力される一連の判定結果から、重複フィールドが続いた回数、あるいは異なるフィールドが続いた回数のカウントを行い、所定の回数に達した場合に、差分判定部４に閾値を調整するための信号を出力する。
【００２２】
例えば、プルダウン判定部５に出力される一連の判定結果が、図２（ａ）に示すように、ノイズの影響で誤判定を含み、５回以上連続して異なるフィールドであると判定された場合、あるいは図３（ａ）に示すように、映像にあまり動きがないため（以下、静的シーンと呼ぶ）あらかじめ定めた閾値を下回るような誤判定を含むこととなり、２回以上連続して重複フィールドであると判定された場合には、いずれの場合もプルダウン信号であると判定されない。差分量を示す表現として、図中では黒丸を異なるフィールド間の差分量、白丸を重複フィールド間の差分量、斜線丸を誤判定としている。
【００２３】
そこで、閾値調整部６は、差分判定部４において、異なるフィールドあるいは重複フィールドであるという判定結果が、一定回数連続した場合には、より確からしい前記判定結果を得るために、差分量の大きさを区別しやすいように閾値を変更する。図５は、差分量の大きさが、異なるフィールドと重複フィールドとで区別出来ているプルダウン検出を行なうのに理想的な状態を示している。図２（ｂ）は、図２（ａ）に示した状態から、閾値調整部６が閾値を大きくなるように調整を行なった調整後の様子を示している。また、図３（ｂ）は、図３（ａ）に示した状態から、閾値調整部６が閾値を小さくするように調整を行なった調整後の様子を示している。前記調整を行なうことにより、差分の大きさと閾値との関係がプルダウン検出を行うのに理想的な状態である図５に示す関係に近付き、プルダウン検出可能な状態とすることができる。
【００２４】
また、重複フィールドあるいは異なるフィールドであるという判定結果が何回連続したら閾値を調整するかに関しては、検出するプルダウン方式において、重複フィールドが発生する確率や、異なるフィールドが発生する確率に基づいて決定する。
【００２５】
例えば、２−３プルダウンを２フィールド前との差分により検出する場合であり、重複フィールドが３回連続したときに閾値の調整を行なうとした場合に、重複フィールドが３回連続して現れる確率は、（１／５）３≒０．００８＝０．８％である。故に、異なるフィールドが現れる確率に関しては、０．００８＝０．８％≒（４／５）２２なので、２２回異なるフィールドが連続して現れたら、閾値の調整を行なう。こういった確率に基づいて閾値の調整を行なうか否かの判断を行なう。尚、本実施例では確率にもとづいて閾値の調整を行なうとしているが、重複フィールドあるいは異なるフィールドが出現する頻度であってもよいものとする。閾値の調整量に関しては、前記同一な判定結果の連続回数が増えるにしたがって大きくすることにより、変化に対する追従性を高めることができる。例えば、重複フィールドが３回連続したら１段階、６回連続したら２段階、９回連続したら４段階、１２回連続したら８段階といった具合に閾値を段階的に小さくするように制御を行う。これにより、例えば、静的シーンから動きのある映像（動的シーン）に移行し、再度静的シーンに戻るような場合であっても、前記のように段階的に変化させることで、必要最小限の調整量で閾値の調整を行なうため、効果的にプルダウン検出を行なうことが出来る。尚、前記調整方法に限られず、例えば、差分量がゼロに近い重複フィールドの差分量と異なるフィールドの複数の差分量のそれぞれを平均して２種類の平均差分量とし、それらを割り算して中点位置を算出して、適切な閾値の位置を調整するような構成であってもよいものとする。
【００２６】
また、動きの激しい映像シーンでは、重複フィールドの場合の差分量と異なるフィールドの場合の差分量の差異が大きくなるため、プルダウン検出は行ないやすい。逆に、静的シーンでは、重複フィールドの場合の差分量と異なるフィールドの場合の差分量とがほとんど同じとなるため、プルダウン検出を行うのは困難となる。
【００２７】
従って、静的シーンでは、ある程度まで閾値を小さくすると、それ以上小さくしても検出精度は上がらないため、閾値の調整範囲を検出精度の改善が十分見込める範囲内に限定し、動きのある映像シーンに変化した場合に行なう閾値の調整量を少なくすることで、効果的にプルダウン検出を行なうことができる。
【００２８】
また、上述のように静止シーンではプルダウン検出を行うのが困難であることから、動的シーンから静止シーンに一時的に変化したような場合には、閾値の調整量を変化させないように制御を行うことで、シーンの変わり目などの静止シーンにおいて閾値が一時的に小さくなるのを防ぐことができる。
【００２９】
上記構成により、差分量に応じて閾値を動的に調整することにより、検出精度の高いプルダウン検出装置を提供することが出来る。
【実施例２】
【００３０】
次に、本発明の実施例２について図４のブロック構成図を用いて説明する。基本的には実施例１と同様の構成及び動作からなり、特に、実施例１と異なる点は、図１でのフィールド遅延部２が、図４ではフレーム遅延部８により構成されている点である。これにより映像信号がプログレッシブ入力であっても、プルダウン検出を行なうことが出来る。
【００３１】
プルダウン検出装置７は、フレーム遅延部８と差分算出部９と差分判定部１０とプルダウン判定部１１と閾値調整部１２で構成される。フレーム単位で動作を行なうこと以外は、実施例１と同様であるため、説明は省略する。
【００３２】
上記構成により、差分量に応じて閾値を動的に調整することにより、検出精度の高いプルダウン検出装置を提供することが出来る。
【産業上の利用可能性】
【００３３】
本発明は、プルダウン検出を精度よく行うことが出来るため、テレビジョン受像機に有用である。
【符号の説明】
【００３４】
１、７  プルダウン検出装置
２  フィールド遅延部
３、９  差分算出部
４、１０  差分判定部
５、１１  プルダウン判定部
６、１２  閾値調整部
８  フレーム遅延部
【図１】
2011176664.tif 000003
【図２】
2011176664.tif 000004
【図３】
2011176664.tif 000005
【図４】
2011176664.tif 000006
【図５】
2011176664.tif 000007
【図６】
2011176664.tif 000008
【図７】
2011176664.tif 000009
【図８】
2011176664.tif 000010
【図９】
2011176664.tif 000011